(57)【特許請求の範囲】
【請求項１】
一方の建物７ａと他方の建物７ｂとが空隙６をあけて隣接し、各建物７ａ，７ｂの前記空隙６に臨んで対向する各対向壁面８ａ，８ｂには、各建物７ａ，７ｂの相対的変位を許容可能な状態で、前記空隙６を塞ぐ第１伸縮カバー手段２が略水平に設けられ、
他方の建物７ｂには、この他方の建物７ｂに基端部が固定され、かつ遊端部が一方の建物７ａの前記空隙６が開放する外壁面１１ａの側方まで突出して取付構造体４が設けられ、
この取付構造体４の遊端部と前記一方の建物７ａの外壁面１１ａとの間には、取付構造体４の前記遊端部と一方の建物７ａの外壁面１１ａとの相対的変位を許容可能な状態で、取付構造体４の遊端部と一方の建物７ａの外壁面１１ａとの間の空隙６ａを塞ぐ第２伸縮カバー手段３が略鉛直に設けられ、
第２伸縮カバー手段３の下端部は、第１伸縮カバー手段２に水平方向に連なり、かつ一方の建物７ａに固定される台座カバー手段５によって塞がれることを特徴とする伸縮継手装置。
【請求項２】
第１伸縮カバー手段２は、一方の建物７ａに基端部が固定され、遊端部に上方に突出する止水部材１２が設けられる固定パネル１３と、他方の建物７ｂに基端部が固定されるパネル本体１４に、伸縮パネル部分１５がばね１６によって前記基端部から離反する方向にばね付勢された状態で伸縮可能に設けられる伸縮パネル１７とを有し、前記固定パネル１３の止水部材１２が、伸縮パネル１７の下面５５に摺動可能な状態で、下方から弾発的に当接することを特徴とする請求項１記載の伸縮継手装置。
【発明の詳細な説明】
【０００１】
【発明の属する技術分野】
本発明は、相互に間隔をあけて隣接する２つの建物間の空隙を利用して通路を形成し、この通路内への風雨の侵入を防止するとともに、急激な地震などによる各建物間の相対的変位を許容することができる伸縮継手装置に関する。
【０００２】
【従来の技術】
相互に隣接する２つの建物間には、目地空間として空隙が存在し、この空隙内へ外部から雨水などが侵入することを防止するために、各建物の各対向壁面間には伸縮継手装置が設けられる。この伸縮継手装置は、各建物の屋根と屋根、外壁と外壁、屋根と外壁などの取付部位に応じて構造形態が異なり、急激な地震などによる各建物の相対的変位、すなわち水平面上において各建物が相互に近接および離反する前後方向、前記水平面上における前後方向に対して垂直な左右方向、および前記水平面に対して垂直な上下方向の３次元的変位を、許容可能な状態で、前記空隙を塞ぐことができるように構成される。
【０００３】
このような伸縮継手装置が設けられる各建物のうちの一方において、その地上第１階層の一部または全部が、たとえば駐車場、駐輪場および玄関ロビーなどの屋外に開放された構造であるとき、前記空隙の下方の空間を通路として利用する場合がある。このような場合、前記下方の空間を通路とするためには、下方の空間と上方の空隙との間に水平方向の伸縮継手装置を設けて、前記下方の空間への雨水の侵入を防止しなければならない。
【０００４】
また前記下方の空間が通路として利用できるためには、その通路の出入口として開口部を確保しなければならないため、開口部よりも上方に各建物の外壁間を塞ぐ鉛直方向の伸縮継手装置を設けて、前記通路よりも上方の空隙を塞いだ状態としなければならない。しかも前記水平方向の伸縮継手装置と鉛直方向の伸縮継手装置とは、相互に隣接する各端部間を水密に止水して、各端部から開口部への水の落下を防止しなければならない。このような水平方向および鉛直方向の各伸縮継手装置の出合い部を、各建物間の相対的変位を許容して、通路出入り口の開口部への水の落下を防ぐことができる伸縮継手装置は、存在しない。
【０００５】
【発明が解決しようとする課題】
本発明の目的は、相互に隣接する各建物間の空隙の一部を通路として確保し、各建物の相対的変位を許容して、水平方向および鉛直方向の各伸縮継手装置の出合い部を確実に塞ぐことができる伸縮継手装置を提供することである。
【０００６】
【課題を解決するための手段】
請求項１記載の本発明は、一方の建物７ａと他方の建物７ｂとが空隙６をあけて隣接し、各建物７ａ，７ｂの前記空隙６に臨んで対向する各対向壁面８ａ，８ｂには、各建物７ａ，７ｂの相対的変位を許容可能な状態で、前記空隙６を塞ぐ第１伸縮カバー手段２が略水平に設けられ、
他方の建物７ｂには、この他方の建物７ｂに基端部が固定され、かつ遊端部が一方の建物７ａの前記空隙６が開放する外壁面１１ａの側方まで突出して取付構造体４が設けられ、
この取付構造体４の遊端部と前記一方の建物７ａの外壁面１１ａとの間には、取付構造体４の前記遊端部と一方の建物７ａの外壁面１１ａとの相対的変位を許容可能な状態で、取付構造体４の遊端部と一方の建物７ａの外壁面１１ａとの間の空隙６ａを塞ぐ第２伸縮カバー手段３が略鉛直に設けられ、
第２伸縮カバー手段３の下端部は、第１伸縮カバー手段２に水平方向に連なり、かつ一方の建物７ａに固定される台座カバー手段５によって塞がれることを特徴とする伸縮継手装置である。
【０００７】
本発明に従えば、各建物７ａ，７ｂの各対向壁面８ａ，８ｂに略水平に延びる第１伸縮カバー手段２が設けられ、他方の建物７ｂには取付構造体４が設けられる。さらに取付構造体４の遊端部と一方の建物７ａの外壁面１１ａとの間には、第２伸縮カバー手段３が設けられ、この第２伸縮カバー手段３の基端部は台座カバー手段５によって塞がれる。第１および第２伸縮カバー手段２，３の各一端部は一方の建物７ａに連なり、各他端部は他方の建物７ｂに連なり、こうして各建物７ａ，７ｂ間の急激な地震などによる相対的変位を許容し得る状態で、第１伸縮カバー手段２よりも上方で、かつ第２伸縮カバー手段３よりも内方の空隙６ａを外部空間に対して遮断し、その空隙６ａ内への雨水の侵入を阻止することができる。
【０００８】
また第２伸縮カバー手段３の下端部は、前記台座カバー手段５によって塞がれているので、第２伸縮カバー手段３に沿って流れ落ちる水を台座カバー手段５によって受止め、この台座カバー手段５の下方に存在する空間への水の落下を防ぐことができ、第１伸縮カバー手段の下方に通路５８を確保し、その通路５８の出入口として、前記台座カバー手段５の下方の空間５７を利用することが可能となる。こうして各建物７ａ，７ｂの相対的変位を許容し、本来、目地空間として利用されなかった空隙６の一部を、通路およびその出入り口として確保することができる。
【０００９】
請求項２記載の本発明は、第１伸縮カバー手段２は、一方の建物７ａに基端部が固定され、遊端部に上方に突出する止水部材１２が設けられる固定パネル１３と、他方の建物７ｂに基端部が固定されるパネル本体１４に、伸縮パネル部分１５がばね１６によって前記基端部から離反する方向にばね付勢された状態で伸縮可能に設けられる伸縮パネル１７とを有し、前記固定パネル１３の止水部材１２が、伸縮パネル１７の下面に摺動可能な状態で、下方から弾発的に当接することを特徴とする。
【００１０】
本発明に従えば、前記第１伸縮カバー手段２は上記のように構成されるので、パネル本体１４からばね１６によってばね付勢された伸縮パネル部分１５を有する伸縮パネル１７によって、各建物７ａ，７ｂが相互に近接する方向に変位したとき、伸縮パネル部分１５が一方の建物７ａまたはそれに関連して設けられる部材に当接して押圧されても、伸縮パネル部分１５は前記ばね１６のばね力に抗して基端部側に変位し、伸縮パネル１７が一方の建物７ａまたはその関連部位によって大きな力で圧縮されて破損することが防がれる。
【００１１】
また伸縮パネル部分１５が前記ばね１６のばね力によってパネル本体１４から突出した状態では、一方の建物７ａに設けられる固定パネル１３の止水部材１２が下方から弾発的に当接するので、第１伸縮カバー手段２の下方の前記通路５８として利用される空隙を、第１伸縮カバー手段２の上方に存在する空隙に対して水密に遮断することができ、これによって各建物７ａ，７ｂ間の大きな相対的変位を許容して、前記通路５８内への雨水の侵入を確実に防止することができる。
【００１２】
【発明の実施の形態】
図１は本発明の実施の一形態の伸縮継手装置１の一部を斜め下方から見た断面図であり、図２は図１の上方から見た伸縮継手装置１の一部の水平断面図である。本実施の形態の伸縮継手装置１は、第１伸縮カバー手段２、第２伸縮カバー手段３、取付構造体４および台座カバー手段５を含む。
【００１３】
第１伸縮カバー手段２は、図２の紙面に平行な水平面上で間隔Ｌ１を有する空隙６をあけて隣接する２つの建物７ａ，７ｂの前記空隙６に臨む各対向壁面８ａ，８ｂに設けられ、各建物７ａ，７ｂの相互に近接しかつ離反する方向、すなわち各建物７ａ，７ｂを正面（図２の下方）から見て左右方向Ｘおよびこの左右方向Ｘに垂直な前後方向Ｙの相対的変位を許容して、前記空隙６を塞ぐように構成される。
【００１４】
前記取付構造体４は、その基端部９が他方の建物７ｂに固定され、遊端部１０が一方の建物７ａの外壁面１１ａの側方、すなわち図２の下方まで延びて設けられる。第２伸縮カバー手段３は、前記取付構造体４の遊端部１０と一方の建物７ａの外壁面１１ａとの間に設けられ、取付構造体４の遊端部１０と一方の建物７ａの外壁面１１ａとが相互に近接しかつ離反する方向である前後方向Ｙの変位を許容して、取付構造体４の遊端部１０と一方の建物７ａの外壁面１１ａとの間の間隔Ｌ２を有する空隙６ａを塞ぐことができるように構成される。
【００１５】
前記台座カバー手段５は、前記第１伸縮カバー手段２に水平方向に連なり、かつ一方の建物７ａに固定される。
【００１６】
各建物７ａ，７ｂの各対向壁面８ａ，８ｂは、図２の紙面に垂直な上下方向Ｚおよび前後方向Ｙを含む鉛直面に対してほぼ平行である。また各建物７ａ，７ｂの各外壁面１１ａ，１１ｂは左右方向Ｘおよび上下方向Ｚを含む図２の紙面に垂直な鉛直面な対してほぼ平行であり、他方の建物７ｂの外壁面１１ｂは、一方の建物７ａの外壁面１１ａに対して、図２の下方にわずかに突出している。前記第１伸縮カバー手段２は、前記前後方向Ｙに沿って略水平に延び、前記第２伸縮カバー手段３は、前記上下方向Ｚに沿って略鉛直に延びる。
【００１７】
図３は、図１の切断面線ＩＩＩ−ＩＩＩから見た第１伸縮カバー手段２の具体的構成を示す拡大断面図である。前記第１伸縮カバー手段２は、一方の建物７ａの対向壁面８ａに基端部が固定され、遊端部には上方に突出する止水部材であるパッキン１２が設けられる固定パネル１３と、他方の建物７ｂの対向壁面８ｂに基端部が固定されるパネル本体１４に、伸縮パネル部分１５がばねである圧縮コイルばね１６によって、前記基端部から離反する方向Ａ１にばね付勢された状態で伸縮可能に設けられる伸縮パネル１７とを有する。
【００１８】
伸縮パネル１７は、前記固定パネル１３に対して上方に配置され、前記伸縮パネル部分１５が外部から押圧力を受けないでパネル本体１４に対して最も突出した状態（図３の状態）で、固定パネル１３の遊端部と上下方向に部分的に重なるようにして配置され、相互に平行で略水平方向に延びる。
【００１９】
前記固定パネル１３は、カバー体２１、補助カバー体２２、前記パッキン１２、および取付フレーム２３を含む。カバー体２１および補助カバー体２２は、図３の紙面に垂直な方向に長手の長尺材であり、カバー体２１の基端部と対向壁面８ａとの間は、シール部材２４によって塞がれ、遊端部側のカバー体２１と補助カバー体２２との間はシール材２５によって塞がれる。
【００２０】
カバー体２１および補助カバー体２２は、取付片２６にビス２７によって固定され、取付片２６は前記取付フレーム２３に溶接して固定される。取付フレーム２３は、図３の紙面に垂直な左右方向に水平に延びる長尺の第１フレーム部材１９に、複数の第２フレーム部材２８が、連結片２９によって、前記第２フレーム部材２８の各遊端部に溶接によって固定される。各第２フレイム部材２８の基端部には、アンカープレート３０が溶接して垂直に固定され、各アンカープレート３０は、第２フレーム部材２８の両側で、アンカーボルト３１によって、一方の建物７ａの対向壁面８ａに固定される。
【００２１】
各第２フレーム連結部材２８の基端部にはまた、連結片３２が溶接によって固定され、この連結片３２には、前記カバー体２１の基端部が、ビス３３によって固定される。第１および第２フレーム部材２７，２８は、たとえば鋼鉄製の角パイプから成る。
【００２２】
補助カバー体２２の上端部には、前記パッキン１２がビス３４によって固定される。このパッキン１２は、可撓性および弾発性を有する材料、たとえばシリコンスポンジから成り、補助カバー体２２の上端部に図３の紙面に垂直な水平方向に一直線状に設けられている。
【００２３】
図４は、図２の切断面線ＩＶ−ＩＶから見た拡大断面図である。図３をも参照して、前記伸縮パネル１７は、パネル本体１４と、伸縮パネル部分１５と、圧縮コイルばね１６とを有する。パネル本体１４は、上カバー体４１と、上カバー体４１が固定されるＬ字状の複数のブラケット４２と、上カバー体４１に基端部がビス４３によって固定される下カバー体４４と、下カバー体４４の基端部と他方の建物７ｂの対向壁面８ｂとの間を塞ぐシール材４５と、前記圧縮コイルばね１６と、圧縮コイルばね１６の両端部を支持する各一対のばね受け片４６，４７と、各ばね受け片４６，４７および圧縮コイルばね１６を挿通する連結ボルト４８と、この連結ボルト４８の他方の建物７ｂ側に配置されるばね受け片４７を貫通した先端部に螺着されるナット４９と、各ブラケット４２の基端部を他方の建物７ｂの対向壁面８ｂに固定する複数のアンカーボルト５０とを有する。
【００２４】
遊端部側のばね受け片４６は、ビス５１，５２によって伸縮パネル部分１５に固定される。また他方の建物７ｂ側に配置されるばね受け片４７は、ビス５３，５４によって上カバー体４１および下カバー体４４にそれぞれ固定される。圧縮コイルばね１６が外力によって圧縮されていない状態では、図３に示されるように、伸縮パネル部分１５は、パネル本体１４の遊端部から図３に示されるように突出しており、この伸縮パネル部分１５の下面５５は、パネル本体１４の下カバー体４４の下面５６とほぼ同一平面を成し、これらの下面５５，５６によって伸縮パネル１７の下面を構成する。
【００２５】
このような伸縮パネル１７の下面５５，５６には、固定パネル１３の前記パッキン１２が図３の紙面に垂直な長手方向全長にわたって弾発的に当接し、固定パッキン１３と伸縮パッキン１７との間を水密に塞ぐことができる。伸縮パネル１７は、他方の建物７ｂの外壁面１１ｂまで設けられ、固定パネル１３は一方の建物７ａの外壁面１１ｂよりもわずかに内方、すなわち図４の右方に退避した位置まで設けられる。
【００２６】
この固定パネル１３に連なって、前記台座カバー手段５が設けられ、この台座カバー手段５上には、取付構造体４と第２伸縮カバー手段３とが設けられ、このような台座カバー手段５は、軒天としての機能とを有する。
【００２７】
このような台座カバー手段５の下方には、出入口空間５７を形成することができ、また前記第１伸縮カバー手段２の下方には人が通行することができる通路空間５８を形成することができ、これらの出入口空間５７と通路空間５８とによって外部から雨水などの侵入が塞がれた通路を確保することができる。
【００２８】
図５は第２伸縮カバー手段３、取付構造体４および台座カバー手段５の具体的構成を説明するための図２の切断面線Ｖ−Ｖから見た拡大断面図であり、図６は図２の切断面線ＶＩ−ＶＩから見た拡大断面図である。図２をも参照して、前記第２伸縮カバー手段３は、一方の建物７ａの外壁面１１ａに固定され、図２の紙面に垂直な略鉛直方向に延びる一方の縁材６１と、取付構造体４の遊端部の内面に固定され、前記一方の縁材６１に前後方向に対向して平行に延びる他方の縁材６２と、一方の縁材６１にヒンジ６３によって鉛直軸線まわりに角変位自在に連結される一方のカバープレート６４と、他方の縁材６２にヒンジ６５によって鉛直軸線まわりに角変位自在に連結される他方のカバープレート６６と、他方のカバープレート６６の遊端部と一方のカバープレート６４の遊端部とを角変位自在に連結する連結部材６７と、一方の縁材６１に基端部が固定され、遊端部によって一方のカバープレート６４を内側（図２の右側）から弾発的に押圧する一方の板ばね６８と、他方の縁材６２に基端部が固定され、遊端部によって他方のカバープレート６６を内側（図２の右側）から弾発的に押圧する他方の板ばね６９と、各縁材６１，６２よりも内方、すなわち他方の建物７ｂ寄りで幅方向両端部が一方の建物７ａの外壁面１１ａおよび取付構造体４の内面１８に取付金具７０，７１によって固定され、各カバープレート６４，６６の背後側（図２の右側）でほぼ平行に延びる止水板７２とを含む。
【００２９】
前記取付構造体４は、基端部が他方の建物７ｂの対向壁面８ｂに固定され、略水平方向にＬ字状に屈曲して一方の建物７ａの外壁面１１ａの前方、すなわち図２の下方まで延びる水平材７３と、水平材７３に立設される複数の鉛直材７４と、これらの水平材７３および鉛直材７４を外囲する化粧カバー７５とを含む。水平材７３および鉛直材７４はたとえば溝形鋼から成る。このような取付構造体４には、前述したように他方のカバープレート６６がヒンジ６５および他方の縁材６２を介して連結されるとともに、止水板７２の幅方向他端部が取付金具７１を介して連結される。また一方のカバープレート６４はヒンジ６３および一方の縁材６１を介して他方の建物７ａの外壁面１１ａに連結されるとともに、止水板７２の幅方向一端部が取付金具７０を介して前記外壁面１１ａに連結される。このような第２伸縮カバー手段３の下端部は、他方の建物７ａに取付けられた台座カバー手段５によって塞がれる。
【００３０】
前記カバープレート６４，６６は、背面が複数の形鋼によって補強されたアルミパネル材から成り、図５および図６の上下方向である略鉛直方向に沿って延び、その上端部が図示しないカバー体によって塞がれ、雨水の侵入が防止されている。各カバープレート６４，６６は、図２に示されるように他方の建物７ａから離反する方向に開放する略Ｖ字状に設置されており、各建物７ａ，７ｂ間の左右方向Ｘおよび前後方向Ｙの変位を相互の角変位によって許容し、各対向壁面８ａ，８ｂ間の空隙６に連なる化粧カバー７５内の空隙６ａ内に外部から雨水が侵入することを防止することができる。各カバープレート６４，６６の内面に生じた結露および僅かに侵入した雨水は、止水板７２によって遮断され、この止水板７２の表面を伝って流れ落ちる水は台座カバー手段５内に落下して回収される。
【００３１】
台座カバー手段５は、複数の各パイプ材を溶接などによって連結して格子状に形成される台座フレーム７８と、この台座フレーム７８を覆い、上方に開放した中空箱状の台座カバー７９と、台座カバー７９の上面外周部に固定される台座パッキン８０とを有する。
【００３２】
台座カバー７９の下面８２は、固定パネル１３の下面８３とほぼ同一平面を成し、外観上固定パネル１３に連続して設けられ、一方の建物７ａの変位に追従して固定パネル１３とともに変位する。止水板７２の下端部８４は、台座カバー７９内に部分的に嵌まり込み、表面を伝って流れ落ちる水を確実に台座カバー７９内に導く。台座カバー７９の周縁部には、相互に間隔をあけて複数の水抜き孔８５が形成され、台座カバー７９内の水を外部へ排出することができる。
【００３３】
こうして各建物間の急激な地震などによる相対的変位を許容し得る状態で、台座カバー手段の下方に存在する空間への水の落下を防ぐことができ、第１伸縮カバー手段の下方に通路を確保し、その通路の出入口として、前記台座カバー手段の下方の空間を利用することが可能となり、各建物の相対的変位を許容し、雨水の侵入が防止された通路を実現して、本来目地空間として利用されなかった空隙の一部を通路として確保し、各建物間の空隙の有効利用を図ることができる。
【００３４】
また伸縮パネル部分１５によって、各建物が相互に近接する方向に変位したとき、伸縮パネル部分１５が一方の建物７ａまたはそれに関連して設けられる部材に当接して押圧されても、伸縮パネル部分１５は前記ばね１６のばね力に抗して基端部側に変位し、伸縮パネル部分１５が一方の建物７ａまたはその関連部位によって大きな力で押圧されて破損することが防がれる。また伸縮パネル部分１５が前記ばね１６のばね力によってパネル本体１４から突出した状態では、固定パネル１３のパッキン１２が下方から弾発的に当接するので、第１伸縮カバー手段２の下方の前記通路として利用される空隙の一部である通路空間５８を、第１伸縮カバー手段２の上方に存在する空隙に対して水密に遮断することができ、これによって各建物７ａ，７ｂ間の大きな相対的変位を許容して、前記通路空間５８内への雨水の侵入を確実に防止することができる。
【００３５】
【発明の効果】
請求項１記載の本発明によれば、各建物７ａ，７ｂ間の空隙６の一部を第１伸縮カバー手段２によって塞ぎ、また他方の建物７ｂに取付構造体４を設けて一方の建物７ａの外壁面１１ａの側方に第２伸縮カバー手段３を設け、この第２伸縮カバー手段３の下端部を台座カバー手段５によって塞ぐようにしたので、前記第１伸縮カバー手段２によって形成された通路５８の出入口５７を確保し、この通路５８へ第２伸縮カバー手段３からの水が落下することを防ぎ、前記空隙６の一部を通路として利用することが可能となる。
【００３６】
また、第１および第２伸縮カバー手段２，３は、台座カバー手段５によって連続した止水ラインを形成することができるので、第１伸縮カバー手段２よりも上方の空隙への雨水の侵入を確実に防止し、各建物７ａ，７ｂ間の急激な地震などによる変位を許容することができる。
【００３７】
請求項２記載の本発明によれば、パネル本体１４からばね１６によってばね付勢された伸縮パネル部分１５を有する伸縮パネル１７によって、各建物７ａ，７ｂが相互に近接する方向に変位したとき、伸縮パネル部分１５が一方の建物７ａまたはそれに関連して設けられる部材に当接して押圧されても、伸縮パネル部分１５は前記ばね１６のばね力に抗して基端部側に変位し、伸縮パネル１７が一方の建物７ａまたはその関連部位によって大きな力で押圧されて破損することが防がれる。
【００３８】
また伸縮パネル部分１５が前記ばね１６のばね力によってパネル本体１４から突出した状態では、一方の建物７ａに設けられる固定パネル１３の止水部材１２が下方から弾発的に当接するので、第１伸縮カバー手段２の下方の前記通路と利用される空隙５８を、第１伸縮カバー手段２の上方に存在する空隙に対して水密に遮断することができ、これによって各建物間７ａ，７ｂの大きな相対的変位を許容して、前記通路５８内への雨水の侵入を確実に防止することができる。
【図面の簡単な説明】
【図１】本発明の実施の一形態の伸縮継手装置１の一部を斜め下方から見た断面図である。
【図２】図１の上方から見た伸縮継手装置１の一部の水平断面図である。
【図３】図２の切断面線ＩＩＩ−ＩＩＩから見た第１伸縮カバー手段２の具体的構成を示す拡大断面図である。
【図４】図２の切断面線ＩＶ−ＩＶから見た拡大断面図である。
【図５】第２伸縮カバー手段３、取付構造体４および台座カバー手段５の具体的構成を説明するための図２の切断面線Ｖ−Ｖから見た拡大断面図である。
【図６】第２伸縮カバー手段３、取付構造体４および台座カバー手段５の具体的構成を説明するための図２の切断面線ＶＩ−ＶＩから見た拡大断面図である。
【符号の説明】
１  伸縮継手装置
２  第１伸縮カバー手段
３  第２伸縮カバー手段
４  取付構造体
５  台座カバー手段
６，６ａ  空隙
７ａ，７ｂ  建物
８ａ，８ｂ  対向壁面
９  基端部
１０  遊端部
１１ａ，１１ｂ  外壁面
１２  パッキン
１３  固定パネル
１４  パネル本体
１５  伸縮パネル部分
１６  圧縮コばね
１７  伸縮パネル
２１  カバー体
２２  補助カバー体
２３  取付フレーム
４１  上カバー体
４４  下カバー体
４６，４７  ばね受け片
５７  出入口空間
５８  通路空間
６１，６２  縁材
６４，６６  カバープレート
７２  止水板
７８  台座フレーム
７９  台座カバー
８０  台座パッキン
【図１】
0004441086.tif 000002
【図２】
0004441086.tif 000003
【図３】
0004441086.tif 000004
【図４】
0004441086.tif 000005
【図５】
0004441086.tif 000006
【図６】
0004441086.tif 000007